(57)【要約】【課題】画像表示に寄与し得る実効的な領域をより広く確保することが可能な電気光学装置を提供すること。【解決手段】電気光学装置(100)は、基板(10)と、基板上に設けられており、複数の画素部(14)を有する主表示領域(16)と、基板上に設けられており、主表示領域の外周に沿って配置された余白領域(18)と、基板上に設けられており、主表示領域及び余白領域に渡って配置された電気光学材料(12)と、を備える。複数の画素部の各々は、電気光学材料を挟んで対向配置された第１電極(22)及び第２電極を有し、余白領域は、電気光学材料を挟んで対向配置された第３電極(24,25,26,27)及び第４電極を有し、主表示領域、前記余白領域はともに外部から視認し得る状態に設置される。【選択図】図１
2010160247.tif 000002
【特許請求の範囲】
【請求項１】
基板と、
前記基板上に設けられており、複数の画素部を有する主表示領域と、
前記基板上に設けられており、前記主表示領域の外周に沿って配置された余白領域と、
前記基板上に設けられており、前記主表示領域及び前記余白領域に渡って配置された電気光学材料と、
を備え、
前記複数の画素部の各々は、前記電気光学材料を挟んで対向配置された第１電極及び第２電極を有し、
前記余白領域は、前記電気光学材料を挟んで対向配置された第３電極及び第４電極を有し、
前記主表示領域、前記余白領域ともに外部から視認し得る状態に設置された、
電気光学装置。
【請求項２】
前記複数の画素部が前記主表示領域内において行列状に配置された、
請求項１に記載の電気光学装置。
【請求項３】
前記余白領域内に配置された補助表示領域、を更に備える、
請求項１又は２に記載の電気光学装置。
【請求項４】
前記電気光学材料が平面視において前記余白領域の外縁よりも内側に配置された、
請求項１乃至３の何れか１項に記載の電気光学装置。
【請求項５】
前記電気光学材料が電気泳動材料である、
請求項１乃至４の何れか１項に記載の電気光学装置。
【請求項６】
前記電気光学材料が液晶材料である、
請求項１乃至４の何れか１項に記載の電気光学装置。
【請求項７】
前記主表示領域の解像度が前記余白領域の解像度よりも高い、
請求項１乃至６の何れか１項に記載の電気光学装置。
【請求項８】
前記基板上に設けられており、前記複数の画素部に信号を供給する駆動回路、
を更に備え、
前記駆動回路は、少なくとも一部が前記余白領域において前記第３電極及び前記第４電極と重畳して配置された、
請求項１乃至７の何れか１項に記載の電気光学装置。
【請求項９】
前記基板上に設けられており、前記駆動回路と接続された配線、
を更に備え、
前記配線は、少なくとも一部が前記余白領域において前記第３電極及び前記第４電極と重畳して配置された、
請求項８に記載の電気光学装置。
【請求項１０】
前記基板上に設けられており、前記複数の画素部の各々と接続された配線、
を更に備え、
前記配線は、少なくとも一部が前記余白領域において前記第３電極及び前記第４電極と重畳して配置された、
請求項１乃至７の何れか１項に記載の電気光学装置。
【請求項１１】
前記第３電極が複数の副電極から構成された、
請求項１乃至１０の何れか１項に記載の電気光学装置。
【請求項１２】
前記複数の副電極の相互間が電気的に接続された、
請求項１１に記載の電気光学装置。
【請求項１３】
請求項１乃至１２の何れか１項に記載の電気光学装置を備える電子機器。
【発明の詳細な説明】
【技術分野】
【０００１】
本発明は、電気泳動装置や液晶装置などの電気光学装置およびこれを備える電子機器等に関する。
【背景技術】
【０００２】
電気光学装置の従来例として、例えば特開平７−３３３６５４号公報（特許文献１）には、行列状画素を有する有効表示領域の外周にブラックマトリクスで遮蔽された非有効表示領域が設けられ、非有効表示領域の外側に走査回路が設けられた液晶表示装置が開示されている。しかし、この特許文献１に開示の液晶表示装置においては、外部から視認可能な有効表示部の周辺に、外部から遮蔽された非有効表示部が設けられており、しかもこの非有効表示部は画素電極を欠いた状態のダミー画素で構成されていることから、非有効表示部は画像形成に寄与し得えない。すなわち、このような非有効表示部は画像表示に寄与し得る実効的な領域とは言えず、無駄が生じていた。
【０００３】
また、特開平５−２４１１５３号公報（特許文献２）には、行列状画素を有する表示部の外周に遮光部で遮光されたダミー画素が設けられ、ダミー画素の外側に水平シフトレジスターや垂直シフトレジスターが設けられた液晶表示装置が開示されている。しかし、この特許文献２に開示の液晶表示装置においても、表示用画素電極の周囲に設けられたダミー画素は走査線及び表示線とのコンタクトが取られていないことから、ダミー画素の配置された領域は画像表示に寄与し得る実効的な領域とは言えない。更に特許文献２には、好ましい態様の一例として、これらのダミー画素を見切り板や遮光層によって外部から遮蔽する態様が開示されている。このような態様の液晶表示装置においては尚更、ダミー画素の配置された領域は画像表示に寄与し得ない。
【先行技術文献】
【特許文献】
【０００４】
【特許文献１】特開平７−３３３６５４号公報
【特許文献２】特開平５−２４１１５３号公報
【発明の概要】
【発明が解決しようとする課題】
【０００５】
そこで、本発明に係る具体的態様は、画像表示に寄与し得る実効的な領域をより広く確保することが可能な電気光学装置を提供することを目的の一つとする。
【課題を解決するための手段】
【０００６】
本発明に係る一態様の電気光学装置は、（ａ）基板と、（ｂ）前記基板上に設けられており、複数の画素部を有する主表示領域と、（ｃ）前記基板上に設けられており、前記主表示領域の外周に沿って配置された余白領域と、（ｄ）前記基板上に設けられており、前記主表示領域及び前記余白領域に渡って配置された電気光学材料と、を備える。そして、（ｅ）前記複数の画素部の各々は、前記電気光学材料を挟んで対向配置された第１電極及び第２電極を有し、（ｆ）前記余白領域は、前記電気光学材料を挟んで対向配置された第３電極及び第４電極を有し、（ｇ）前記主表示領域、前記余白領域はともに外部から視認し得る状態に設置されている。
【０００７】
かかる構成によれば、主表示領域の周囲に設けられる余白領域においても、第３電極と第４電極を用いて電気光学材料に電界または電流を与えることにより、例えば主表示領域の周囲を一様に白色表示にする等の表示制御が可能となる。そして、このように表示制御された余白領域を外部から視認可能とすることにより、余白領域が主表示領域と合わせた全体として画像表示に寄与し得るようにできる。すなわち、上記従来例のように主たる表示領域の周辺を遮蔽する必要がなくなる。従って、本発明に係る電気光学装置によれば、画像表示に寄与し得る実効的な領域をより広く確保することが可能となる。
【０００８】
上記した電気光学装置において、前記複数の画素部は、例えば前記主表示領域内において行列状（マトリクス状）に配置することができる。
【０００９】
また、上記した電気光学装置は、前記余白領域内に配置された補助表示領域を更に備えてもよい。この補助表示領域は、例えば平面視において主表示領域の下側の左端、中央又は右端に配置される。
【００１０】
余白領域を活用してこのような補助表示領域を設けることにより、例えば主表示領域において表示されている画像のページ数を表示する等の補助的な表示を実現できる。
【００１１】
上記した電気光学装置において、前記電気光学材料が平面視において前記余白領域の外縁よりも内側に配置されることが好ましい。
【００１２】
余白領域よりも内側に電気光学材料を配置することで、第３電極及び第４電極を用いた表示制御がより確実に実行されるようになり、画像表示の品質低下を回避することが可能となる。
【００１３】
上記した電気光学装置における電気光学材料としては、例えば電気泳動材料又は液晶材料が好適に用いられる。
【００１４】
また、上記した電気光学装置においては、前記主表示領域の解像度が前記余白領域の解像度よりも高いことがより好ましい。
【００１５】
また、上記した電気光学装置は、前記基板上に設けられており、前記複数の画素部に信号を供給する駆動回路を更に備えてもよい。この場合において、前記駆動回路は、少なくとも一部が前記余白領域において前記第３電極及び前記第４電極と重畳して配置されることが好ましい。
【００１６】
これにより、駆動回路の配置に必要な領域を余白領域として有効に活用することが可能となる。
【００１７】
また、上記した電気光学装置は、前記基板上に設けられており、前記駆動回路と接続された配線を更に備えてもよい。この場合において、前記配線は、少なくとも一部が前記余白領域において前記第３電極及び前記第４電極と重畳して配置されることが好ましい。
【００１８】
また、上記した電気光学装置は、前記基板上に設けられており、前記複数の画素部の各々と接続された配線を更に備えてもよい。この場合において、前記配線は、少なくとも一部が前記余白領域において前記第３電極及び前記第４電極と重畳して配置されることが好ましい。
【００１９】
これらの態様によれば、配線の配置に必要な領域を余白領域として有効に活用することが可能となる。
【００２０】
上記した電気光学装置において、前記第３電極が複数の副電極から構成されていてもよい。この場合においては、複数の副電極の相互間が電気的に接続されていることも好ましい。
【００２１】
本発明に係る一態様の電子機器は、上記した本発明に係る電気泳動装置を備えて構成される。詳細には、本発明に係る電子機器は、例えば上述した電気泳動表示装置を用いて構成された表示部を備える。ここで、「電子機器」は、ディスプレイ装置、テレビジョン装置、電子ペーパー、時計、電卓、携帯電話、携帯情報端末等を含む。
【図面の簡単な説明】
【００２２】
【図１】第１の実施形態に係る電気泳動装置の構成を模式的に示す平面図である。
【図２】図１に示した平面図の一部を拡大して示した図である。
【図３】第１の実施形態に係る電気泳動装置の回路構成を模式的に示す平面図である。
【図４】第１の実施形態に係る電気泳動装置の構造を模式的に示す断面図である。
【図５】第２の実施形態に係る電気泳動装置の構成を模式的に示す平面図である。
【図６】第２の実施形態に係る電気泳動装置の回路構成を模式的に示す平面図である。
【図７】第２の実施形態に係る電気泳動装置の構造を模式的に示す断面図である。
【図８】第３の実施形態に係る電気泳動装置の構成を模式的に示す平面図である。
【図９】第３の実施形態に係る電気泳動装置の構造を模式的に示す断面図である。
【図１０】電子機器の具体例を示す模式的な斜視図である。
【発明を実施するための形態】
【００２３】
以下、本発明の実施の形態について図面を参照しながら説明する。
【００２４】
（第１の実施形態）
本発明に係る電気光学装置は、例えば多結晶シリコン膜を用いた薄膜トランジスタを含んで構成される電気泳動装置として具現化することができる。以下、その一態様について説明する。
図１は、第１の実施形態に係る電気泳動装置の構成を模式的に示す平面図である。図１に示す電気泳動装置１００は、薄膜回路を有するガラス基板等の基板１０上に電気泳動材料（電気泳動層）１２を設けて構成されている。この電気泳動装置１００は、行列状に配置された複数の画素部１４を含む主表示領域（主表示部）１６と、この主表示領域１６の外周に沿って配置された余白領域（余白部）１８と、を備える。主表示領域１６、余白領域１８の各々は図中、点線によって示されており、これらはともに外部から視認し得る状態に設置される。
【００２５】
画素部１４の各々は、スイッチング素子としての薄膜トランジスタ２０と、この薄膜トランジスタに接続された画素電極２２と、を含む。本実施形態における薄膜トランジスタ２０は、多結晶シリコン膜を用いて構成されたもの（多結晶シリコンＴＦＴ）である。なお、移動度等の素子性能の観点から同等とみなせるものであれば、多結晶シリコンＴＦＴ以外のスイッチング素子が用いられてもよい。画素電極２２は、導電性材料を用いて所定形状にパターニングされており、薄膜トランジスタ２０から供給される電圧を電気泳動材料１２に印加するために用いられる。なお、これらの画素電極２２が「第１電極」に相当する。このように、本実施形態の電気泳動装置１００は、複数の画素部１４が行列状に配置されたアクティブマトリクス型の表示装置である。そして、複数の画素部１４によって上述した主表示領域１６が構成されている。
【００２６】
余白領域１８には、主表示領域１６を取り囲むようにして複数の余白電極２４、２５、２６、２７が配置されている。各余白電極２４〜２７は、導電性材料を用いて所定形状にパターニングされており、配線および実装端子部２８を通じて外部の駆動回路１０２から供給される電圧を電気泳動材料１２に印加するために用いられる。なお、余白電極２４〜２７の全体が「第３電極」に相当し、余白電極２４等のそれぞれが「副電極」に相当する。本実施形態の余白電極２４〜２７は、配線を介して相互に電気的に接続されている。詳細には、余白電極２４と余白電極２５の間、余白電極２５と余白電極２６の間、余白電極２６と余白電極２７の間、余白電極２７と余白電極２４の間のそれぞれが配線を介して接続されている。そして、余白電極２４が外部の駆動回路１０２と接続されている。これにより、各余白電極２４〜２７には同じ電位が供給される。なお、各余白電極２４〜２７の相互間が接続されておらず、各余白電極２４〜２７に対して個別に電位が供給される構造であってもよい。また、余白電極２４、２５、２６、２７の全て又は一部の組み合わせは、一体化されていてもよい。図１に示すように、各余白電極２４〜２７は、それぞれの面積が上記した各画素電極２２よりも相対的に大きく設定されている。換言すれば、本実施形態では、各画素電極２２が設けられた主表示領域１６の解像度が余白領域１８の解像度よりも高いことになる。
【００２７】
走査線選択回路３０は、複数の走査線３１と接続されており、これらの走査線３１に接続された各薄膜トランジスタ２０に対して走査信号を供給する。図示のように、本実施形態における走査線選択回路３０は余白領域１８に配置されている。またこの走査線選択回路３０は余白電極２７と重ねて配置されている。構造の詳細については更に後述する。本実施形態における走査線選択回路３０は、多結晶シリコン膜を用いて構成された薄膜トランジスタを用いて構成されている。なお、この走査線選択回路３０と後述の信号線選択回路３２とが上記した「駆動回路」に相当する。
【００２８】
信号線選択回路３２は、複数の信号線３３と接続されており、これらの信号線３３に接続された各薄膜トランジスタ２０に対してデータ信号を供給する。図示のように、本実施形態における信号線選択回路３２は余白領域１８に配置されている。またこの信号線選択回路３２は余白電極２４と重ねて配置されている。構造の詳細については更に後述する。本実施形態における信号線選択回路３２は、多結晶シリコン膜を用いて構成された薄膜トランジスタを用いて構成されている。
【００２９】
補助表示領域（補助表示部）３４は、余白領域１８内の所定位置に設けられている。この補助表示領域３４には、補助表示用回路３６と補助表示電極３８が設けられている。補助表示用回路３６は、配線および実装端子部２８を介して外部の駆動回路１０２と接続されている。補助表示電極３８は、補助表示用回路３６に重ねて配置されている。なお、ここでは簡略化して描かれているが、実際には、補助表示電極３８は、例えば行列状に区分され、あるいはセグメント型に区分されている。本実施形態における補助表示領域３４は、主表示領域１６の下側に設けられており、主表示領域１６において表示されている情報を補助する付加的な情報を表示する。例えば、主表示領域１６において何らかの文書が表示されている場合に、当該文書のページ数を表示する用途として補助表示領域３４が用いられる。
【００３０】
電気光学材料領域４０は、上述した電気光学材料としての電気泳動材料１２が配置される領域であり、図１において一点鎖線で示すように主表示領域１６および余白領域１８に重ねて設けられている。詳細には、電気光学材料領域４０は、図示のように平面視において余白領域１８よりも幾分内側に入り込んだ状態に設けられている。
【００３１】
図２は、図１に示した平面図の一部を拡大して示した図である。この図２に基づいて、各画素電極および各余白電極のより好ましい態様を説明する。まず、各画素電極２２の相互間距離Ｙ１は、通常、画素電極間の境界が視認できない程度の距離に設定される。これに対応して、図示のように、基板１０の上辺側の余白電極２４とその直近の画素電極２２との相互間距離Ｙ２も前述の相互間距離Ｙ１とほぼ同じかそれ以下に設定することが好ましい。図示を省略するが、基板１０の下辺側の余白電極２６とその直近の画素電極２２との相互間距離についても同様である。また、基板１０の右辺側の余白電極２５とその直近の画素電極２２との相互間距離Ｘ１も前述の相互間距離Ｙ１とほぼ同じかそれ以下に設定することが好ましい。図示を省略するが、基板１０の左辺側の余白電極２７とその直近の画素電極２２との相互間距離についても同様である。このようにすることで、各画素電極と各余白電極との境界が視認できないようになり、表示品質を向上することができる。また、各余白電極の幅については、図示の右辺側の余白電極２５の幅Ｘ２と、図示を省略する左辺側の余白電極２７の幅とをほぼ等しく設定することが好ましい。また、図示の上辺側の余白電極２４の幅Ｙ３と、図示を省略する下辺側の余白電極２６の幅とをほぼ等しく設定することが好ましい。より詳細には、各余白電極の相互間における幅の誤差は３ｍｍ以内くらいであればよい。これらにより、視認時における左右の余白の幅、上下の余白の幅がそれぞれ均等となり、見た目が美しくなる。なお、ここで説明した好ましい態様は後述する第２、第３の実施形態においても同様である。
【００３２】
図３は、上記した電気泳動装置１００の回路構成を模式的に示す平面図である。図示のように、各薄膜トランジスタ２０、実装端子部２８、走査線選択回路３０、信号線選択回路３２、各走査線３１、各信号線３３、補助表示用回路３６、各配線５０、５２、５６、５８、６０、６２、６４、６６は基板１０の一面上に形成されている。各走査線３１は走査線選択回路３０に接続され、各信号線３３は信号線選択回路３２に接続されている。そして、各走査線３１と各信号線３３とは交差して配置されており、それらの交点の各々に対応づけて各薄膜トランジスタ２０が配置されている。配線５０は余白電極２４と実装端子部２８とを接続するためのものであり、配線５６は余白電極２４と余白電極２７とを接続するためのものであり、配線５８は余白電極２４と余白電極２５とを接続するためのものであり、配線６０は余白電極２５と余白電極２６とを接続するためのものであり、配線６２は余白電極２６と余白電極２７とを接続するためのものである。走査線選択回路３０には配線６４が接続されており、これらの配線６４は実装端子部２８に接続されている。走査線選択回路３０は、配線６４および実装端子部２８を通じて外部から信号供給を受ける。信号線選択回路３２には配線６６が接続されており、これらの配線６６は実装端子部２８に接続されている。信号線選択回路３２は、配線６６および実装端子部２８を通じて外部から信号供給を受ける。補助表示用回路３６には配線５２が接続されており、補助表示用回路３６はこの配線５２および実装端子部２８を通じて外部の駆動回路から信号供給を受ける。
【００３３】
図４は、電気泳動装置１００の構造を模式的に示す断面図である。図４においては、電気泳動装置１００の一部（走査線選択回路３０の近傍）に対応する断面が模式的に示されている。図４に示すように、ガラス基板等からなる基板１０の一面上に、走査線駆動回路３０、薄膜トランジスタ２０が設けられている。なお、図示を省略しているが、信号線駆動回路３２、補助表示用回路３６、その他の配線（図３参照）も基板１０上に形成されている。符号７０、７２は絶縁層を示している。絶縁層７０、７２としては、酸化珪素膜等の無機膜、あるいはアクリル等の有機膜などが適宜用いられる。薄膜トランジスタ２０、走査線駆動回路３０等の上層には、絶縁層７２を介して画素電極２２、余白電極２７が形成されている。なお、図示を省略しているが、他の余白電極２４、２５、２６、補助表示電極３８も画素電極２２等と同じく絶縁層７２上に形成される。このような基板１０と、共通電極１３を有する基板（対向基板）１１と、の相互間に電気泳動材料１２が挟まれている。共通電極１３には外部の駆動回路１０２から所定の電位が与えられる。この共通電極１３が上述した「第２電極」に相当し、かつ「第４電極」にも相当する。各画素電極２２と共通電極１３との間に電気泳動材料が挟まれることによって電気泳動素子が構成される。なお、図示の例では電気泳動材料１２としてマイクロカプセル型のものが示されているが、電気泳動材料１２はこれに限定されるものでなく、他の型式であってもよい。
【００３４】
このような第１の実施形態によれば、主表示領域の周囲に設けられる余白領域も主表示領域と合わせた全体として画像表示に寄与し得るようにできる。従って、画像表示に寄与し得る実効的な領域をより広く確保することが可能となる。例えば、余白電極を持たない従来の電気泳動装置では、主表示領域に文字を表示させる場合、主表示領域内において文字の周囲に背景となる白表示を設ける必要があったが、本実施形態の構成によれば、主表示領域の外縁いっぱいまで文字を表示させた上で、当該文字の背景となる白表示の一部を余白領域における白表示でまかなうことが可能となる。よって、本実施形態の構成によれば、主表示領域内においてより多くの情報を表示させることができる。
【００３５】
（第２の実施形態）
本発明に係る電気光学装置は、非晶質シリコン膜を用いた薄膜トランジスタを含んで構成される電気泳動装置としても具現化することができる。以下、その一態様について説明する。
図５は、第２の実施形態に係る電気泳動装置の構成を模式的に示す平面図である。図５に示す電気泳動装置１００ａは、上述した第１の実施形態に係る電気泳動装置１００と基本的に同様の構成を備えている。すなわち、電気泳動装置１００ａは、薄膜回路を有するガラス基板等の基板１０上に電気泳動材料（電気泳動層）１２を設けて構成されている。この電気泳動装置１００ａは、行列状に配置された複数の画素部１４を含む主表示領域（主表示部）１６と、この主表示領域１６の外周に沿って配置された余白領域（余白部）１８と、を備える。主表示領域１６、余白領域１８の各々は図中、点線によって示される。第１の実施形態に係る電気泳動装置１００では画素部１４の薄膜トランジスタ２０、及び走査線選択回路３０と信号線選択回路３２の各々を構成する薄膜トランジスタが多結晶シリコン膜を用いて構成されているのに対して、第２の実施形態に係る電気泳動装置１００ａは、非晶質シリコン膜を用いて構成された薄膜トランジスタ２０ａを用いて画素部１４を構成しており、走査線選択回路３０ａ及び信号線選択回路３２ａを外付けにしている点が主に相違している。なお、第１の実施形態に係る電気泳動装置１００と第２の実施形態に係る電気泳動装置１００ａとの間で共通する構成については同一の符号を用いており、それらの構成については詳細な説明を省略する。
【００３６】
図６は、上記した電気泳動装置１００ａの回路構成を模式的に示す平面図である。図示のように、各薄膜トランジスタ２０ａ、実装端子部２８ａ、２８ｂ、２８ｃ、各走査線３１、各信号線３３、補助表示用回路３６、各配線５０ａ、５５、５６、５８、６０、６２、６４ａ、６６ａは基板１０の一面上に形成されている。基本的な構成は第１の実施形態と同様であるので（図３参照）、共通する構成については同一符号を用い、詳細な説明を省略する。各走査線３１と各信号線３３とは交差して配置されており、それらの交点の各々に対応づけて各薄膜トランジスタ２０ａが配置されている。配線５０ａは、余白電極２７と実装端子部２８ａとを接続するためのものである。電気泳動装置１００ａにおいては、図５に示したように走査線選択回路３０ａは外付けされている。この走査線選択回路３０ａは、基板１０上に設けられた各配線６４ａと実装端子部２８ａにおいて接続されており、当該各配線６４ａを介して各走査線３１と接続されている。同様に、信号線選択回路３２ａは外付けされている。この信号線選択回路３２ａは、基板１０上に設けられた各配線６６ａと実装端子部２８ｂにおいて接続されており、当該各配線６６ａを介して各信号線３３と接続されている。また、駆動回路１０２ａも外付けされており、当該駆動回路１０２ａは、基板１０上に設けられた配線５５と実装端子部２８ｃにおいて接続されており、当該配線５５を介して補助表示用回路３６と接続されている。余白電極２４は配線６６ａに重ねて配置され、余白電極２６は配線５２ａに重ねて配置され、余白電極２７は配線６４ａに重ねて配置されている（図５、図６参照）。
【００３７】
図７は、電気泳動装置１００ａの構造を模式的に示す断面図である。図７においては、電気泳動装置１００ａの一部（走査線選択回路３０ａの近傍）に対応する断面が模式的に示されている。基本的な構成は第１の実施形態と同様であるので（図４参照）、共通する構成については同一符号を用い、詳細な説明を省略する。図４に示すように、ガラス基板等からなる基板１０の一面上に薄膜トランジスタ２０ａや配線６４ａ等が設けられている。なお、図示を省略しているがその他の各配線（図６参照）も基板１０上に形成されている。符号７０ａ、７２ａは絶縁層を示している。絶縁層７０ａ、７２ａとしては、酸化珪素膜等の無機膜、あるいはアクリル等の有機膜などが適宜用いられる。薄膜トランジスタ２０ａ等の上層には、絶縁層７２ａを介して画素電極２２、余白電極２７が形成されている。なお、図示を省略しているが、他の余白電極２４、２５、２６、補助表示電極３８も画素電極２２等と同じく絶縁層７２ａ上に形成される。このような基板１０と、共通電極１３を有する基板（対向基板）１１と、の相互間に電気泳動材料１２が挟まれている。共通電極１３には外部の駆動回路１０２ａから所定の電位が与えられる。各画素電極２２と共通電極１３との間に電気泳動材料が挟まれることによって電気泳動素子が構成される。
【００３８】
このような第２の実施形態によっても、主表示領域の周囲に設けられる余白領域も主表示領域と合わせた全体として画像表示に寄与し得るようにできる。従って、画像表示に寄与し得る実効的な領域をより広く確保することが可能となる。
【００３９】
（第３の実施形態）
本発明に係る電気光学装置は、いわゆる単純マトリクス（パッシブマトリクス）型の電気泳動装置としても具現化することができる。以下、その一態様について説明する。
図８は、第３の実施形態に係る電気泳動装置の構成を模式的に示す平面図である。また、図９は、電気泳動装置１００ｂの構造を模式的に示す断面図である。図８及び図９に示す電気泳動装置１００ｂは、帯状に形成された導電膜８０、８１、８２を有するガラス基板等の基板９１と、帯状に形成された導電膜８３、８４、８５、８６、８７を有するガラス基板等の基板９２と、を対向配置し、当該基板９１、９２の間に電気泳動材料（電気泳動層）９３を介在させて構成されている。この電気泳動装置１００ｂは、各導電膜８０と各導電膜８３とが交差する位置に対応して、行列状に配置された複数の画素部を含む主表示領域（主表示部）８８が構成される。そして、この主表示領域８８の外周に沿って余白領域（余白部）８９が配置される。より詳細には、導電膜８１と各導電膜８３、８４、８５、８６、８６、８７とが交差する領域、導電膜８２と各導電膜８３、８４、８５、８６、８６、８７とが交差する領域、導電膜８４と各導電膜８０、８１、８２とが交差する領域、導電膜８５と各導電膜８０、８１、８２とが交差する領域、および導電膜８６と各導電膜８０、８１、８２とが交差する領域のそれぞれを含んで余白領域８９が構成される。なお、主表示領域（主表示部）８８、余白領域（余白部）８９の各々は図中、点線によって示される。また、各導電膜８０と各導電膜８７とが交差する位置に対応して、行列状に配置された複数の画素部を含む補助表示領域（補助表示部）９０が構成される。
【００４０】
このような第３の実施形態によっても、主表示領域の周囲に設けられる余白領域も主表示領域と合わせた全体として画像表示に寄与し得るようにできる。従って、画像表示に寄与し得る実効的な領域をより広く確保することが可能となる。
【００４１】
（第４の実施形態）
上述した本発明に係る電気泳動装置は、種々の電子機器における表示部として用いることができる。以下、その一態様について説明する。
図１０は、電子機器の具体例を示す模式的な斜視図である。図１０（Ａ）は、電子機器の一例である携帯電話機を示す斜視図である。この携帯電話機１０００は、上記実施形態にかかる電気泳動装置を用いて構成された表示部１００１を備えている。図１０（Ｂ）は、電子機器の一例である腕時計を示す斜視図である。この腕時計１１００は、上記実施形態にかかる電気泳動装置を用いて構成された表示部１１０１を備えている。図１０（Ｃ）は、電子機器の一例である携帯型情報処理装置１２００を示す斜視図である。この携帯型情報処理装置１２００は、キーボード等の入力部１２０１、演算手段や記憶手段などが格納された本体部１２０２、及び上記実施形態にかかる電気泳動装置を用いて構成された表示部１２０３を備えている。
【００４２】
（変形実施の態様等）
なお、本発明は上述した各実施形態の内容にのみ限定されるものではなく、本発明の要旨の範囲内において種々に変形して実施をすることが可能である。例えば、上述した各実施形態においては、電気光学材料の一例として電気泳動材料を示していたが、電気光学材料として液晶材料を用いることも可能である。この場合には、基本的には、上述した各実施形態における電気泳動層を液晶層と置き換えればよい。なお、この場合における各要素が液晶装置に適した状態に適宜変更して実施し得ることは当業者にとって自明であり、そのような態様が本発明に係る技術的範囲に属することは明らかである。
【符号の説明】
【００４３】
１０…基板、１１…対向基板、１２…電気泳動材料（電気泳動層）、１３…共通電極、１４…画素部、１６…主表示領域（主表示部）、１８…余白領域（余白部）、２０、２０ａ…薄膜トランジスタ、２２…画素電極、２４、２５、２６、２７…余白電極（副電極）、２８、２８ａ、２８ｂ、２８ｃ…実装端子部、３０、３０ａ…走査線選択回路、３１…走査線、３２、３２ａ…信号線選択回路、３３…信号線、３４…補助表示領域（補助表示部）、３６…補助表示用回路、３８…補助表示電極、４０…電気光学材料領域、５０、５０ａ、５４、５５、５６、５８、６０、６２、６４、６４ａ、６６、６６ａ…配線、７０、７０ａ、７２、７２ａ…絶縁層、８０、８１、８２、８３、８４、８５、８６、８７…導電膜、８８…主表示領域（主表示部）、８９…余白領域（余白部）、９０…補助表示領域（補助表示部）、９１…基板、９２…対向基板、９３…電気泳動材料（電気泳動層）、１００、１００ａ、１００ｂ…電気泳動装置、１０２、１０２ａ…外部の駆動回路
【図１】
2010160247.tif 000003
【図２】
2010160247.tif 000004
【図３】
2010160247.tif 000005
【図４】
2010160247.tif 000006
【図５】
2010160247.tif 000007
【図６】
2010160247.tif 000008
【図７】
2010160247.tif 000009
【図８】
2010160247.tif 000010
【図９】
2010160247.tif 000011
【図１０】
2010160247.tif 000012